(57)【要約】【課題】空気浄化器により快適な室内湿度環境を形成可能な空調システムを提供すること。【解決手段】熱交換用媒体としての循環水によって放熱および吸熱を行って住宅Ｈ内の温度を調節する空調用熱交換器１と、熱交換用媒体としての循環水を加熱および冷却可能な熱源装置としてのヒートポンプ室外機２と、住宅Ｈの室内Ｒの空気を取り込んで浄化水と接触させて浄化した空気を室内Ｒに放出する空気浄化器４と、住宅Ｈの室内Ｒの空気の温度および湿度を検出する温湿度センサ６１と、熱交換用媒体としての循環水との熱交換により浄化水を加熱および冷却可能な浄化水熱交換器５０と、温湿度センサ６１の検出に基づいて浄化水熱交換器５０により浄化水の温度を制御する制御部としてのコントロールユニット６と、を備えた空調システムとした。【選択図】図１
2018128186.tif 000002
【特許請求の範囲】
【請求項１】
熱交換用媒体によって放熱および吸熱を行って建物内の温度を調節する空調用熱交換器と、
前記熱交換用媒体を加熱および冷却可能な熱源装置と、
前記建物内の空気を取り込んで浄化水と接触させて浄化した空気を前記建物内に放出する空気浄化器と、
前記建物内の空気の温度および湿度を検出する温湿度センサと、
前記熱交換用媒体との熱交換により前記浄化水を加熱および冷却可能な浄化水熱交換部と、
前記温湿度センサの検出に基づいて前記浄化水熱交換部により前記浄化水の温度を制御する制御部と、
を備えることを特徴とする空調システム。
【請求項２】
請求項１に記載の空調システムにおいて、
前記制御部は、前記浄化水熱交換部に供給する前記熱交換用媒体の温度を、前記建物内の空気の絶対湿度が飽和水蒸気圧となる温度よりも低温に制御する除湿運転処理を実行することを特徴とする空調システム。
【請求項３】
請求項２に記載の空調システムにおいて、
前記制御部は、前記除湿運転処理の実行時に、前記温湿度センサが検出する湿度が予め設定された目標湿度以下の場合は、前記浄化水熱交換部に供給する前記熱交換用媒体の温度を、前記建物内の空気の絶対湿度が飽和水蒸気圧となる温度に制御する適湿運転処理を実行することを特徴とする空調システム。
【請求項４】
請求項１〜請求項３のいずれか１項に記載の空調システムにおいて、
前記制御部は、前記浄化水熱交換部に供給する前記熱交換用媒体の温度を、前記建物内の空気の絶対湿度が飽和水蒸気圧となる温度よりも高い温度に制御する加湿運転処理を実行することを特徴とする空調システム。
【請求項５】
請求項１〜請求項４のいずれか１項に記載の空調システムにおいて、
前記空調用熱交換器が、輻射熱により床および床下の空気を介して前記建物の室内の温度を調整可能に前記建物の床下に設けられ、
前記空気浄化器が、前記室内の空気を空気取込口から取り込み、浄化した空気を空気排出口から前記室内に排出可能に前記建物の床下に設けられていることを特徴とする空調システム。
【発明の詳細な説明】
【技術分野】
【０００１】
本発明は、空調システムに関するものである。
【背景技術】
【０００２】
従来、室内を循環させる空気を取り入れて浄化水と接触させることで空気を浄化し、浄化した空気を室内に戻す空気浄化器を備えた空調システムが知られている（例えば、特許文献１参照）。
【先行技術文献】
【特許文献】
【０００３】
【特許文献１】特許５４３０２８４号公報
【発明の概要】
【発明が解決しようとする課題】
【０００４】
しかしながら、空気浄化器において室内空気に浄化水を接触させるため、室内湿度および浄化水温度との関係に基づいて室内空気に対して除湿や加湿を行ってしまい、室内湿度を快適な湿度から悪化させるおそれがあった。例えば、冷房が必要で多湿な時期である夏場において、浄化水の温度が、室内の絶対湿度の露天温度よりも高い場合、空気の浄化時に加湿を行ってしまうことになり、快適な室内湿度を保てないおそれがあった。
【０００５】
本発明は、上述の問題に着目して成されたもので、空気浄化器により快適な室内湿度環境を形成可能な空調システムを提供することを目的としている。
【課題を解決するための手段】
【０００６】
前記目的を達成するために、本発明の空調システムは、
熱交換用媒体によって放熱および吸熱を行って建物内の温度を調節する空調用熱交換器と、
前記熱交換用媒体を加熱および冷却可能な熱源装置と、
前記建物内の空気を取り込んで浄化水と接触させて浄化した空気を前記建物内に放出する空気浄化器と、
前記建物内の空気の温度および湿度を検出する温湿度センサと、
前記熱交換用媒体との熱交換により前記浄化水を加熱および冷却可能な浄化水熱交換部と、
前記温湿度センサの検出に基づいて前記浄化水熱交換部により前記浄化水の温度を制御する制御部と、
を備えることを特徴とする空調システムとした。
【０００７】
なお、前記制御部は、前記浄化水熱交換部に供給する前記熱交換用媒体の温度を、前記建物内の空気の絶対湿度が飽和水蒸気圧となる温度よりも低温に制御する除湿運転処理を実行することが好ましい。
さらに、前記制御部は、前記除湿運転処理の実行時に、前記温湿度センサが検出する湿度が予め設定された目標湿度以下の場合は、前記浄化水熱交換部に供給する前記熱交換用媒体の温度を、前記建物内の空気の絶対湿度が飽和水蒸気圧となる温度に制御する適湿運転処理を実行することが好ましい。
また、前記制御部は、前記浄化水熱交換部に供給する前記熱交換用媒体の温度を、前記建物内の空気の絶対湿度が飽和水蒸気圧となる温度よりも高い温度に制御する加湿運転処理を実行することが好ましい。
そして、前記空調用熱交換器が、輻射熱により床および床下の空気を介して前記建物の室内の温度を調整可能に前記建物の床下に設けられ、前記空気浄化器が、前記室内の空気を空気取込口から取り込み、浄化した空気を空気排出口から前記室内に排出可能に前記建物の床下に設けられている空調システムとしてもよい。
【発明の効果】
【０００８】
本発明の空調システムでは、制御部が、温湿度センサが検出する建物内の空気の温度および湿度に基づいて、空気浄化器において、夏場において必要のない加湿や、冬場において必要のない除湿を行わないように、浄化水温度を制御することが可能となる。これにより、空気浄化器により快適な室内湿度環境を形成可能となった。
【０００９】
さらに、制御部が、熱交換用媒体の温度を、建物内の空気の絶対湿度が飽和水蒸気圧となる温度よりも低温に制御する除湿運転処理を実行するものでは、建物内空気の確実な除湿が可能となる。また、除湿運転処理の実行時に、湿度が目標湿度以下の場合に熱交換用媒体の温度を建物内の空気の絶対湿度が飽和水蒸気圧となる温度に制御する適湿運転処理を実行するものでは、除湿運転時の過剰な除湿を抑制できる。
また、制御部が、熱交換用媒体の温度を、熱交換用媒体の温度を、建物内の空気の絶対湿度が飽和水蒸気圧となる温度よりも高い温度に制御する加湿運転処理を実行するものでは、建物内空気の確実な加湿が可能となる。
そして、空調用熱交換器および空気浄化器が、建物の床下に設けられたものでは、空調熱交換器の熱交換用媒体を空気浄化器の浄化水熱交換部に吸排するのが容易であり、構成の簡略化を図ることが可能であるとともに、施工性にも優れる。
【図面の簡単な説明】
【００１０】
【図１】本発明の実施の形態１の空調システムの全体構成を模式的に示す全体システム図である。
【図２】実施の形態１の空調システムの空気浄化器の構成を模式的に示す概略構成図である。
【図３】実施の形態１の空調システムにおける制御系の構成を示すブロック図である。
【図４】実施の形態１の空調システムにおける空気浄化器の運転制御の処理の流れを示すフローチャートである。
【図５】実施の形態１の空調システムにおいて空気浄化器を「空気浄化・脱臭運転モード」で作動させた状態の説明図である。
【図６】実施の形態１の空調システムにおいて空気浄化器を「弱冷房除湿運転モード」で作動させた状態の説明図である。
【図７】実施の形態１の空調システムにおいて空気浄化器を「加湿運転モード」で作動させた状態の説明図である。
【図８Ａ】実施の形態１の空調システムにおいて空気浄化器を「弱冷房除湿運転モード」で作動させる実験時の温度変化を示すタイムチャートである。
【図８Ｂ】実施の形態１の空調システムにおいて空気浄化器を「弱冷房除湿運転モード」で作動させる実験時の相対湿度変化を示すタイムチャートである。
【図８Ｃ】実施の形態１の空調システムにおいて空気浄化器を「弱冷房除湿運転モード」で作動させる実験時の除湿量変化を示すタイムチャートである。
【図９Ａ】実施の形態１とは異なる浄化水温度で空気浄化器を「弱冷房除湿運転モード」で作動させた比較例の温度変化を示すタイムチャートである。
【図９Ｂ】実施の形態１とは異なる浄化水温度で空気浄化器を「弱冷房除湿運転モード」で作動させた比較例の相対湿度変化を示すタイムチャートである。
【図９Ｃ】実施の形態１とは異なる浄化水温度で空気浄化器を「弱冷房除湿運転モード」で作動させた比較例の除湿量変化を示すタイムチャートである。
【図１０】他の実施の形態の空気浄化器の運転制御の処理の流れを示すフローチャートである。
【発明を実施するための形態】
【００１１】
以下、本発明の実施の形態について図面を参照して説明する。
（実施の形態１）
まず、図１を参照しながら実施の形態１の空調システムの全体構成について説明する。図１は、住宅（建物）Ｈ内に設置した空調システムＡＳの一例を表した説明図である。
【００１２】
空調システムＡＳは、空調用熱交換器１、ヒートポンプ室外機（熱源装置）２、ヘッダボックス３、空気浄化器４を備えている。
【００１３】
空調用熱交換器１は、住宅Ｈの床下ＵＦに、複数設置されている。この空調用熱交換器１は、ヒートポンプ室外機２から循環配管１１を介して熱交換用媒体としての循環水が循環され、この循環水による放熱および吸熱による輻射熱により床Ｆおよび床下ＵＦの空気を加熱あるいは冷却する。これによって、住宅Ｈの室内Ｒの温度調節を行う。
【００１４】
ヒートポンプ室外機２は、フロンガスや代替フロンガスなどの冷媒の圧縮や膨張に伴って発生する発熱や吸熱作用を利用した装置であり、エアコンの室外機として一般的に使用されているものと同等の機能を有する装置である。そして、ヒートポンプ室外機２では、上記の冷媒の発熱、吸熱により、各空調用熱交換器１との間で循環される循環水の加熱および冷却を行う。また、各空調用熱交換器１への循環水の供給は、ヘッダボックス３における切替弁（図示省略）の切り替えにより制御されるもので、各空調用熱交換器１へ選択的に供給および供給停止を行うことが可能となっている。
【００１５】
なお、循環水を加熱および冷却する熱源装置としては、上記のヒートポンプ室外機２に限定されるものではなく、吸収式冷温水機、ペルチェ素子を用いた加熱冷却装置などのヒートポンプ式以外のものを使用することもできる。また、熱交換用媒体としても、流体であれば循環水に限定されるものではない。
【００１６】
次に、図２に基づいて、空気浄化器４について説明する。
図２は、空気浄化器４の構成を模式的に示す概略構成図であって、この空気浄化器４は、床下ＵＦに設置された筐体４１を備える。また、この筐体４１の内部に形成された気液接触室４１ａは、吸気管４２および排気管４３に接続されている。
【００１７】
吸気管４２は、住宅Ｈの室内Ｒに開口された１または複数の空気取込口４２ａ（図１参照）を有し、さらに、その途中に、空気取込口４２ａから気液接触室４１ａへ送風を行うファン４２ｆを有する。また、排気管４３は室内Ｒに開口された１または複数の空気排出口４３ａ（図１参照）を有する。これにより、ファン４２ｆを駆動させた際には、室内Ｒと気液接触室４１ａとの間で空気を循環させることができる。
【００１８】
さらに、空気浄化器４は、気液接触室４１ａの上方から浄化水を噴射し、循環される室内Ｒの空気を浄化する構成として、循環用配管４４、ポンプ４５、噴射ノズル４６、浄化エレメント４７，４７を有する。
【００１９】
循環用配管４４は、図示のように、気液接触室４１ａの下部と上部とを接続して配管されており、かつ、途中にポンプ４５を備える。また、気液接触室４１ａの上部の循環用配管４４の先端に噴射ノズル４６が取り付けられている。
以上の構成により、ポンプ４５を駆動させると、気液接触室４１ａの下部に溜まった浄化水が吸引され、気液接触室４１ａの上部の噴射ノズル４６から気液接触室４１ａに霧状に噴射されるとともに、この浄化水を循環させることができる。また、循環用配管４４には、水供給管４８が接続されており、浄化水を随時追加することが可能となっている。なお、浄化水は、清浄な水であれば特に限定されず、水道水、井戸水、蒸留水、純水、電解水などを用いることができる。
【００２０】
浄化エレメント４７は、気液接触室４１ａにおいて、噴射ノズル４６からの浄化水の噴射方向に対向して配置されており、空気および浄化水が通過可能な細孔を多数有し、気液の接触面積の拡大を図っている。
なお、気液接触室４１ａの下部には、排水ドレン４９が接続されている。この排水ドレン４９により、浄化水が過剰となった場合や、メンテナンス時など、気液接触室４１ａに溜まった水を外部に排出可能としている。
【００２１】
したがって、空気浄化器４では、ファン４２ｆとポンプ４５とを駆動させると、気液接触室４１ａにおいて、吸気管４２から吸い込まれた室内Ｒの汚染空気ＣＯＡに、噴射ノズル４６から噴射される浄化水が接触することで埃や臭いが落とされる。そして、このように浄化された空気ＣＬＡが排気管４３から室内Ｒに戻される。
【００２２】
さらに、本実施の形態１では、噴射ノズル４６から噴射する浄化水の温度を調節可能としている。この温度調節用の構成として、循環用配管４４の途中に、浄化水熱交換器５０が設けられている。なお、図では浄化水熱交換器５０を空気浄化器４とは別体に示しているが、この浄化水熱交換器５０は、空気浄化器４に設置してもよい。
【００２３】
この浄化水熱交換器５０は、浄化水と接触可能な熱交換部５１を有し、かつ、この熱交換部５１には、循環配管１１から分岐されてヘッダボックス３を介してヒートポンプ室外機２から循環水が供給される浄化側配管２２が接続されている（図１参照）。したがって、この熱交換部５１では、循環水と浄化水との熱交換を行って、浄化水の加熱および冷却が可能に構成されている。これにより、浄化水の温度は、循環水の温度により調節することができる。
【００２４】
上述のヒートポンプ室外機２から循環配管１１および浄化側配管２２へ供給する循環水の温度、およびヘッダボックス３の配水の切り替えは、ヘッダボックス３に設けられたコントロールユニット６（図３参照）により制御される。
【００２５】
図３に示すように、コントロールユニット６には、温湿度センサ６１、メインリモコン６２、サブリモコン６３，６３、ヒートポンプ室外機２、ヘッダボックス３、空気浄化器４が接続されている。なお、図１に示すように、温湿度センサ６１およびメインリモコン６２は、室内Ｒにおいて居間などの共用スペースに配置され、サブリモコン６３は、室内Ｒにおいて、個室に配置されている。
【００２６】
コントロールユニット６は、各リモコン６２，６３の設定および温湿度センサ６１の検出値に基づいて、空気浄化器４の運転を制御するもので、その制御について、図４のフローチャートを参照しつつ説明する。
メインリモコン６２および／またはサブリモコン６３では、少なくとも、空気浄化器４の運転モードとして、「空気浄化・脱臭運転モード」と「弱冷房除湿運転モード」と「加湿運転モード」とが選択可能となっている。
【００２７】
そこで、コントロールユニット６では、まず、運転モードとして、「空気浄化・脱臭運転モード」と「弱冷房除湿運転モード」と「加湿運転モード」のいずれが選択されているか判断する（ステップＳ１０１）。
【００２８】
「空気浄化・脱臭運転モード」は、除湿および加湿を行うことなく空気浄化器４により室内Ｒの空気の浄化および脱臭を行うもので、主として中間期などに選択される。
「空気浄化・脱臭運転モード」が選択された場合、浄化水熱交換器５０を非駆動として、空気浄化器４を駆動させる（ステップＳ１０２）。この場合、ヒートポンプ室外機２から熱交換部５１への循環水の供給を行わないため、ヒートポンプ室外機２は、非駆動とするか、あるいは、浄化側配管２２への循環水の供給を停止する。
【００２９】
すなわち、中間期は、空調用熱交換器１は主として非駆動としており、ヒートポンプ室外機２は非駆動とするとともに、図５に示すように、ヘッダボックス３から空調用熱交換器１および浄化水熱交換器５０への循環水の供給は遮断する。なお、図５において点線により示した循環配管１１および浄化側配管２２は、循環水の非供給状態を示す。
したがって、空気浄化器４では、ファン４２ｆを駆動させて、気液接触室４１ａに室内Ｒの空気を循環させるとともに、ポンプ４５を駆動させ、噴射ノズル４６から浄化水を噴射させ、空気中の塵、埃、臭いなどを取り除く。
【００３０】
「弱冷房除湿運転モード」は、空気浄化器４を通過する空気を冷却しつつ、この空気の除湿を行うもので、主として梅雨〜夏期〜初秋に選択される。
「弱冷房除湿運転モード」が選択された場合、温湿度センサ６１により検出される温度および湿度から絶対湿度を求める（ステップＳ１０３）。さらに、絶対湿度に対する露点温度（絶対湿度の水蒸気圧が飽和水蒸気圧となる温度）を求め、熱交換部５１に供給する循環水の温度を、露点温度よりも低い温度に設定する（ステップＳ１０４）。なお、循環水の温度を、露点温度よりも低い温度に設定する処理としては、求めた露点温度に応じて循環水の温度を設定してもよいし、あるいは、循環水の温度を、予め設定された相対的に低い温度（例えば、数℃〜１０℃程度の温度）としてもよい。
【００３１】
図６は、「弱冷房除湿運転モード」の動作例を示しており、ヒートポンプ室外機２で冷却した循環水を、ヘッダボックス３から浄化側配管２２を介して空気浄化器４の浄化水熱交換器５０（図６では図示省略）へ供給する。この図示の例の場合、点線により示すように循環配管１１では空調用熱交換器１への循環水の供給は停止している。
【００３２】
このように、空気浄化器４の熱交換部５１に、室内Ｒの湿度の露点温度よりも低温の循環水を供給している場合、気液接触室４１ａでは、浄化水の表面で空気中の水蒸気が水滴化するため、空気は冷却および除湿（減湿）される。
【００３３】
また、この「弱冷房除湿運転モード」の際に、温湿度センサ６１の検出湿度ＲＨｒが、予め設定された目標湿度ＲＨｔに達した場合は（図４のＳ１０５）、検出湿度ＲＨｒが再び目標湿度ＲＨｔよりも高くなるまでの間、適湿運転処理を実行する（図４のＳ１０６）。
【００３４】
この適湿運転処理は、弱冷房運転は続行しつつ、除湿を停止するもので、この場合、熱交換部５１に供給する循環水の温度を、温湿度センサ６１が検出する温度と相対湿度により算出される絶対湿度の露点温度相当の温度に制御する。なお、適湿運転処理の代わりに「空気浄化・脱臭運転モード」に切り替えるようにしてもよい。
【００３５】
「加湿運転モード」は、空気浄化器４を通過する空気を加湿するもので、主として晩秋〜冬期〜春先に選択される。
「加湿運転モード」が選択された場合、温湿度センサ６１により検出される温度、湿度から絶対湿度を求める（Ｓ１０７）。さらに、絶対湿度に対する露点温度を求め、熱交換部５１に供給する循環水の温度を、露点温度よりも高い温度に設定する（ステップＳ１０８）。この場合、循環水の温度を、予め設定された相対的に高い温度（例えば、２０数℃〜４０数℃程度の温度）としてもよい。
【００３６】
図７は、「加湿運転モード」の運転例を示しており、ヒートポンプ室外機２が暖房運転を行っており、その暖房に用いる循環水を、ヘッダボックス３を介して空調用熱交換器１および空気浄化器４の浄化水熱交換器５０（図７では不図示）に供給する。
【００３７】
このように、空気浄化器４の浄化水熱交換器５０に、室内Ｒの空気の絶対湿度の露点温度よりも高温の循環水を供給している場合、気液接触室４１ａでは、浄化水の湿分が空気に添加され、加湿される。また、このとき、浄化水の温度が空気温度よりも高い場合には、空気の加熱も行われる。
【００３８】
なお、この「加湿運転モード」の際に、温湿度センサ６１の検出湿度ＲＨｒが、予め設定された目標湿度ＲＨｔに達した場合は（図４のＳ１０９）、検出湿度ＲＨｒが再び目標湿度ＲＨｔよりも低くなるまでの間、適湿運転処理を実行してもよい（図４のＳ１１０）。
【００３９】
この適湿運転処理では、循環水の温度を、温湿度センサ６１が検出する温度と相対湿度により算出される絶対湿度の露点温度相当の温度に制御する。なお、適湿温点処理の代わりに「空気浄化・脱臭運転」に切り替えるようにしてもよい。
【００４０】
（実施の形態の動作例）
次に、実施の形態１の空調システムを実際に駆動させた測定結果、および比較例の測定結果を説明する。
この動作例では、夏季において、目標湿度ＲＨｔを６５％ＲＨ（相対湿度）として、「弱冷房除湿運転モード」で運転を行い、検出湿度ＲＨｒが目標湿度ＲＨｔに達したら「適湿運転処理」を行った。
【００４１】
さらに詳細には、図１に示す室内Ｒとして、床面積３０ｍ２、天井高さ２．５ｍの室内空間を用い、空気浄化器４のファン４２ｆは、風量８０ｍ３／ｈで駆動させた。また、検出室温Ｔｒおよび検出湿度ＲＨｒとの関係により、「弱冷房除湿運転モード」の運転時には、循環水温度を１０℃に設定し、「適湿運転処理」時には、露点温度として１８℃に設定した。
【００４２】
図８Ａ、図８Ｂ、図８Ｃは、上記動作時の実測データを示しており、図８Ａは室内温度および循環水温度、図８Ｂは室内相対湿度、図８Ｃは空気浄化器４での除湿量を示す。
【００４３】
また、図において、ｔ０〜ｔ１の間は、空気浄化器４は停止し、窓（不図示）を開放状態とし、ｔ１の時点から、窓を閉めて空気浄化器４の運転を開始した。また、ｔ５の時点で、外気の湿度が目標湿度ＲＨｔを上回ったのに応じて、ｔ６時点以降に、浄化水熱交換器５０における循環水の温度を１０℃に低下させる制御を実行した。
【００４４】
これらの図に示すように、空気浄化器４では、ｔ１の時点以降「弱冷房除湿運転モード」で運転することで、空気浄化器４で加湿することなく吹出口（空気排出口４３ａ）の湿度を抑えることができた。この場合、検出湿度ＲＨｒが目標湿度ＲＨｔである状態では「適湿運転処理」を実行し、浄化水熱交換器５０における循環水の温度を１８℃に制御することにより、室内湿度（検出湿度ＲＨｒ）を６５％ＲＨに維持できた。また、浄化水熱交換器５０の循環水の温度を１０℃に下げた場合（ｔ６の時点以降）は、吹出口（空気排出口４３ａ）の湿度を抑え、除湿を行うことができた。
【００４５】
次に、図９Ａ、図９Ｂ、図９Ｃは、比較例の実測データを示している。
この比較例は、上記の実施の形態１とは異なる日に実行したもので、「弱冷房除湿運転モード」の運転時には、循環水温度を１０℃に設定し、「弱冷房除湿運転モード」の停止時には、露点温度よりも高い２０℃に設定した場合のデータを示している。また、図９Ａは室内温度および循環水温度、図９Ｂは室内相対湿度、図９Ｃは空気浄化器４での除湿量を示す。なお、空気浄化器４の運転は、ｔ０１の時点で開始した。
【００４６】
これらの図に示すように、空気浄化器４の運転開始後は室内湿度（検出湿度ＲＨｒ）が目標湿度である６５％ＲＨ付近に制御することができた。しかしながら、ｔ０３の時点の前以降、循環水の温度を２０℃に設定したときには、空気浄化器４により加湿することになり、空気浄化器４の吹出口（空気排出口４３ａ）の湿度が上昇した。このため、比較例では、上記の実施の形態１の動作例と比較すると、室内湿度（検出湿度ＲＨｒ）の変動が大きくなった。
【００４７】
（実施の形態１の効果）
以下に、本実施の形態１の空調システムの効果を列挙する。
１）実施の形態の空調システムは、
熱交換用媒体としての循環水によって放熱および吸熱を行って住宅Ｈ内の温度を調節する空調用熱交換器１と、
熱交換用媒体としての循環水を加熱および冷却可能な熱源装置としてのヒートポンプ室外機２と、
住宅Ｈの室内Ｒの空気を取り込んで浄化水と接触させて浄化した空気を室内Ｒに放出する空気浄化器４と、
住宅Ｈの室内Ｒの空気の温度および湿度を検出する温湿度センサ６１と、
熱交換用媒体としての循環水との熱交換により浄化水を加熱および冷却可能な浄化水熱交換器５０と、
温湿度センサ６１の検出に基づいて浄化水熱交換器５０により浄化水の温度を制御する制御部としてのコントロールユニット６と、
を備えることを特徴とする。
したがって、夏場において必要のない加湿や、冬場において必要のない除湿を行わないように、浄化水温度を制御することが可能となる。これにより、空気浄化器４により快適な室内湿度環境を形成可能となった。
【００４８】
２）実施の形態の空調システムは、
コントロールユニット６は、浄化水熱交換器５０に供給する循環水の温度を、住宅Ｈの室内Ｒの空気の絶対湿度が飽和水蒸気圧となる温度である露点温度よりも低い温度に制御する除湿運転処理（Ｓ１０３、Ｓ１０４）を実行することを特徴とする。
したがって、浄化水熱交換器５０で熱交換された浄化水も、住宅Ｈの室内Ｒの空気の絶対湿度の露点温度よりも低い温度とし、空気浄化器４の気液接触室４１ａでは、浄化水の表面で空気中の水蒸気が水滴化し、空気の冷却および除湿を行うことができる。
【００４９】
３）実施の形態の空調システムは、
コントロールユニット６は、除湿運転処理の実行時に、温湿度センサ６１の検出湿度ＲＨｒが予め設定された目標湿度ＲＨｔ以下の場合は（Ｓ１０５）、浄化水熱交換器５０に供給する循環水の温度を、絶対湿度が飽和水蒸気圧となる温度である露点温度とする適湿運転処理（Ｓ１０６）を実行することを特徴とする。
したがって、浄化水熱交換器５０で熱交換された浄化水も、室内Ｒの空気の露点温度に設定されることにより、室内Ｒの空気に対して、除湿も加湿も行わないようにして、目標湿度に維持することができる。
【００５０】
４）実施の形態の空調システムは、
コントロールユニット６は、浄化水熱交換器５０に供給する循環水の温度を、住宅Ｈの室内Ｒの空気の絶対湿度が飽和水蒸気圧となる温度である露点温度よりも高い温度に制御する加湿運転処理（Ｓ１０７、Ｓ１０８）を実行することを特徴とする。
したがって、浄化水熱交換器５０で熱交換された浄化水も、住宅Ｈの室内Ｒの空気の絶対湿度の露点温度よりも高い温度とし、空気浄化器４の気液接触室４１ａでは、浄化水の湿分が空気に添加されて加湿を行うことができる。
【００５１】
５）実施の形態の空調システムは、
空調用熱交換器１が、輻射熱により床Ｆおよび床下ＵＦの空気を介して住宅Ｈの室内Ｒの温度を調整可能に住宅Ｈの床下ＵＦに設けられ、
空気浄化器４が、室内Ｒの空気を空気取込口４２ａから取り込み、浄化した空気を空気排出口４３ａから室内Ｒに排出可能に住宅Ｈの床下ＵＦに設けられていることを特徴とする。
このように、空調用熱交換器１および空気浄化器４が、床下ＵＦに設置されているため、空気浄化器４の浄化水熱交換器５０へ浄化水を供給する配管の配索距離が短くて済むとともに、その接続作業も容易である。これにより、構成の簡略化を図ることが可能であるとともに、施工性にも優れる。
【００５２】
（他の実施の形態）
次に、本発明の他の実施の形態について説明する。
なお、他の実施の形態の説明において、実施の形態１と共通する構成には実施の形態１と同じ符号を付して説明を省略し、実施の形態１との相違点のみ説明する。
【００５３】
（実施の形態２）
実施の形態２の空調システムは、実施の形態１の変形例であって、コントロールユニット６が空気浄化器４の運転制御時には、自動的に、除湿運転処理、加湿運転処理、適湿運転処理を実行するようにした例である。
【００５４】
図１０は実施の形態２の空調システムにおける空気浄化器４の運転制御処理の流れを示すフローチャートである。
【００５５】
ステップＳ２０１では、温湿度センサ６１が検出する検出湿度ＲＨｒと目標湿度ＲＨｔとを比較する。そして、検出湿度ＲＨｒが目標湿度ＲＨｔよりも高い場合には、ステップＳ２０２に進み、検出湿度ＲＨｒが目標湿度ＲＨｔよりも低い場合はステップＳ２０３に進み、検出湿度ＲＨｒと目標湿度ＲＨｔとが等しい場合には、ステップＳ２０４に進む。
【００５６】
なお、この比較において、検出湿度ＲＨｒと目標湿度ＲＨｔとには、ある程度幅を持たせてもよい。すなわち、検出湿度ＲＨｒが目標湿度ＲＨｔよりも所定以上高い場合にステップＳ２０２に進み、検出湿度ＲＨｒが目標湿度ＲＨｔよりも所定以上低い場合にステップＳ２０３に進み、それ以外は、ステップＳ２０４に進むようにしてもよい。
【００５７】
検出湿度ＲＨｒが目標湿度ＲＨｔよりも高い場合に進むステップＳ２０２では、除湿運転処理を行う。この除湿運転処理では、要は、実施の形態１のステップＳ１０３とステップＳ１０４の処理を実行する。すなわち、温湿度センサ６１が検出する相対湿度から絶対湿度を求める。そして、絶対湿度の露点温度を求め、熱交換部５１に供給する循環水の温度を、露点温度よりも低い温度に設定する。
【００５８】
検出湿度ＲＨｒが目標湿度ＲＨｔよりも低い場合に進むステップＳ２０３では、加湿運転処理を行う。この加湿処理では、要は、実施の形態１のステップＳ１０７とＳ１０８の処理を実行する。すなわち、温湿度センサ６１が検出する相対湿度から絶対湿度を求める。そして、絶対湿度の露点温度を求め、熱交換部５１に供給する循環水の温度を、露点温度よりも高い温度に設定する。
【００５９】
検出湿度ＲＨｒと目標湿度ＲＨｔとが等しい場合に進むステップＳ２０４では、適湿運転処理を行う。この適湿運転処理では、温湿度センサ６１が検出する相対湿度から絶対湿度を求める。そして、絶対湿度の露点温度を求め、熱交換部５１に供給する循環水の温度を、露点温度に設定する。
【００６０】
したがって、実施の形態２の空調システムにあっても、空気浄化器４の運転時には、室内Ｒの湿度を目標湿度ＲＨｔに制御して、適切な湿度に保つことができる。
【００６１】
以上、図面を参照して、本発明の実施の形態を詳述してきたが、具体的な構成は、この実施の形態に限らず、本発明の要旨を逸脱しない程度の設計的変更は、本発明に含まれる。
【００６２】
例えば、空調用熱交換器は、床下に設置されたものを例示したが、これに限定されず、室内の空気と直接熱交換を行うタイプのものを用いてもよいし、あるいは、床材に熱交換用の配管を配索したタイプのものを用いてもよい。
また、熱源装置としてのヒートポンプ室外機を例示したが、これに限定されるものではなく、吸収式冷温水機、ペルチェ素子を用いた加熱冷却装置などを用いることができる。さらには、加熱手段と、冷却手段とをそれぞれ別個に有し、加熱用媒体および冷却用媒体をそれぞれ、空気浄化器の熱交換部に供給するようにしたものを用いることもできる。
また、本発明の空調システムを適用する建物は、住宅に限られるものではない。
【符号の説明】
【００６３】
１     空調用熱交換器
２     ヒートポンプ室外機（熱源装置）
４     空気浄化器
６     コントロールユニット（制御部）
４２ａ 空気取込口
４３ａ 空気排出口
５０   浄化水熱交換器（浄化水熱交換部）
６１   温湿度センサ
ＡＳ   空調システム
ＲＨｒ 検出湿度
ＲＨｔ 目標湿度
Ｈ     住宅
Ｒ     室内
【図１】
2018128186.tif 000003
【図２】
2018128186.tif 000004
【図３】
2018128186.tif 000005
【図４】
2018128186.tif 000006
【図５】
2018128186.tif 000007
【図６】
2018128186.tif 000008
【図７】
2018128186.tif 000009
【図８Ａ】
2018128186.tif 000010
【図８Ｂ】
2018128186.tif 000011
【図８Ｃ】
2018128186.tif 000012
【図９Ａ】
2018128186.tif 000013
【図９Ｂ】
2018128186.tif 000014
【図９Ｃ】
2018128186.tif 000015
【図１０】
2018128186.tif 000016